(57)【要約】【課題】装置の配置替えなどを行ったとしても、装置固有の識別番号等（識別情報）と、装置近傍に設置した目印となる識別番号等（識別情報）とを、煩雑な作業を行うことなく、常に完全に一致させることができる商品販売データ処理装置を提供すること。【解決手段】表示ポール３４０を備える会計用ＰＯＳレジスタ（商品販売データ処理装置）３００である。表示ポール３４０は、発光部３４３と、この会計用ＰＯＳレジスタ３００を他の会計用ＰＯＳレジスタ３００から識別する識別情報を掲示する掲示部３４５と、を備えている。掲示部３４５は、表示ポール３４０の鉛直方向と平行する取付面３５１，３５３を有して表示ポール３４０に取り付けられるパネル部材３５０と、パネル部材３５０の取付面３５１，３５３に設置される識別情報表示部材３５７とを有する。また、掲示部３４５は、発光部３４３の近傍に設置されている。【選択図】図５
2015007831.tif 000002
【特許請求の範囲】
【請求項１】
表示ポールを備える商品販売データ処理装置において、
前記表示ポールは、
発光部と、この商品販売データ処理装置を他の商品販売データ処理装置から識別する識別情報を掲示する掲示部と、
を備えていることを特徴とする商品販売データ処理装置。
【請求項２】
前記掲示部は、
前記表示ポールの鉛直方向と平行する取付面を有して前記表示ポールに取り付けられるパネル部材と、
前記パネル部材の取付面に設置される識別情報表示部材と、
を有し、
さらに前記取付面の周囲にはスリット部が設けられ、前記識別情報表示部材の周囲の部分をこのスリット部に挿入することを特徴とする請求項１に記載の商品販売データ処理装置。
【請求項３】
前記発光部の発光状態は、前記商品販売データ処理装置に生じた状況に応じて選択的に変化することを特徴とする請求項１に記載の商品販売データ処理装置。
【請求項４】
前記掲示部を前記発光部の近傍に設置させたことを特徴とする請求項１に記載の商品販売データ処理装置。
【発明の詳細な説明】
【技術分野】
【０００１】
本発明は、表示ポールを備えた商品販売データ処理装置に関するものである。
【背景技術】
【０００２】
従来、スーパーマーケット等の会計場所には、複数台のＰＯＳレジスタが設置されている。そして各ＰＯＳレジスタに対して、それぞれの位置を示す番号プレートが設置されている場合がある。
【０００３】
上記従来の番号プレートは、例えば特許文献１に示すように、行灯の形態をしており、各ＰＯＳレジスタが配置されている位置に対応する天井部分に吊り下げるように取り付けられている。
【０００４】
そして、前記ＰＯＳレジスタにおいて何らかのトラブルが生じた場合、天井に取り付けられた番号プレートの番号を目印に、対象のＰＯＳレジスタに店員が赴き、トラブル等の対応を行っていた。
【先行技術文献】
【特許文献】
【０００５】
【特許文献１】特開昭６３−２３７０８８号公報
【発明の概要】
【発明が解決しようとする課題】
【０００６】
しかしながら、番号プレートを天井に取り付けておくと、ＰＯＳレジスタの配置替え等を行う際に、ＰＯＳレジスタの配置位置と、天井に取り付けられた番号プレートの番号との対応関係の制限により、ＰＯＳレジスタの大胆な配置替えを行うことができず、例えばＰＯＳレジスタは設置されていないが天井には番号プレートがあるという好ましくない形態になってしまう可能性もあった。
【０００７】
またＰＯＳレジスタが記憶する固有の番号（例えば１番レジ）と、番号プレートの番号とを一致させることにより、迅速な違算対応やトラブル対応を行うこと（違算やトラブルが発生したＰＯＳレジスタに番号プレートを目印に迷うことなく急行して対応すること）ができるが、配置替えがされて、ＰＯＳレジスタが記憶する固有の番号と、番号プレートの番号とが不一致となってしまうと、上記違算対応やトラブル対応をスムーズに行うことができなくなる恐れもあった。
【０００８】
前記の問題を解消するには、前記配置替え等の際に、ＰＯＳレジスタが記憶する固有の番号を、天井に設置された番号プレートの番号と一致させるように、オペレータが変更操作を行えば良いが、この変更操作には手間と時間が掛かり煩雑であるばかりか、変更ミスを生じさせる可能性があった。
【０００９】
本発明は上述の点に鑑みてなされたものでありその目的は、装置の配置替えなどを行ったとしても、装置固有の番号等（識別情報）と、装置近傍に設置した目印となる番号等（識別情報）とを、煩雑な作業を行うことなく、常に完全に一致させることができる商品販売データ処理装置を提供することにある。
【課題を解決するための手段】
【００１０】
本発明は、表示ポールを備える商品販売データ処理装置において、前記表示ポールが、発光部と、この商品販売データ処理装置を他の商品販売データ処理装置から識別する識別情報を掲示する掲示部と、を備えていることを特徴としている。
これによって、商品販売データ処理装置の大幅な配置替えを行う場合でも、商品販売データ処理装置と共にその掲示部が移動するので、装置固有の識別情報と、掲示部に掲示した識別情報とを常に一致させることができる。
また、例えばトラブルが発生した際に、発光している発光部と、掲示部の識別情報の両者を同時に見ることで、対象の商品販売データ処理装置の発見が行い易くなる。これによってトラブルへの対応を、装置を間違えることなく迅速に行うことができる。
【００１１】
また本発明は、前記掲示部が、前記表示ポールの鉛直方向と平行する取付面を有して前記表示ポールに取り付けられるパネル部材と、前記パネル部材の取付面に設置される識別情報表示部材とを有し、さらに前記取付面の周囲にスリット部を設け、前記識別情報表示部材の周囲の部分をスリット部に挿入することが好ましい。
このように構成すれば、識別情報表示部材の着脱が容易に行える。従って識別情報表示部材の汚損・破損にも容易に対応できる。
【００１２】
また本発明は、前記発光部の発光状態が、前記商品販売データ処理装置に生じた状況に応じて選択的に変化することが好ましい。
ここで、選択的に発光状態が変化するとは、点灯、点滅、点滅時間間隔、光量の増減、色彩等の状態が変化することである。
このように発光部の発光状態を変化させることと、前記掲示部での識別情報の掲示とによって、より迅速・確実に、対象の商品販売データ処理装置の発見が行い易くなる。
【００１３】
また本発明は、前記掲示部を前記発光部の近傍に設置させることが好ましい。掲示部を発光部近傍に設置したので、発光している発光部と、掲示部の識別情報の両者を同時に見させることとなるので、対象の商品販売データ処理装置の発見が更に行い易くなる。
【図面の簡単な説明】
【００１４】
【図１】ＰＯＳシステム１の概略構成図である。
【図２】印刷用ＰＯＳレジスタ２００を示す機能ブロック図である。
【図３】会計用ＰＯＳレジスタ３００の斜視図である。
【図４】表示ポール３４０の要部拡大斜視図である。
【図５】表示ポール３４０の要部拡大一部分解斜視図である。
【図６】取付部材３５５近傍部分を上方から見た要部拡大断面図である。
【図７】会計用ＰＯＳレジスタ３００の機能ブロック図である。
【図８】ＰＯＳシステム１の店舗内での設置構成例を示す全体概略斜視図である。
【発明を実施するための形態】
【００１５】
以下、本発明の実施形態を図面を参照して詳細に説明する。
図１は本発明を適用した会計用ＰＯＳレジスタ３００を用いて構成されたＰＯＳシステム１の概略構成図である。同図に示すようにＰＯＳシステム１は、ストアコントローラ１００と、Ｎ台（Ｎは１以上の整数）の印刷用ＰＯＳレジスタ（登録手段）２００と、Ｍ台（Ｍは１以上の整数）の会計用ＰＯＳレジスタ（会計手段）３００と、Ｌ台（Ｌは１以上の整数）の携帯端末（端末装置）４００とを有している。
【００１６】
印刷用ＰＯＳレジスタ２００は、ＬＡＮ１１０を介してストアコントローラ１００に接続されているものと、接続されていないものとが存在する。また、会計用ＰＯＳレジスタ３００も同様に、ＬＡＮ１１０を介してストアコントローラ１００に接続されているものと、接続されていないものとが存在する。つまり、各印刷用ＰＯＳレジスタ２００と会計用ＰＯＳレジスタ３００とは、ＬＡＮ１１０を介して接続されていなくても良いことを示している。なおＬＡＮ接続の形態は、有線、無線を問わない。
【００１７】
ストアコントローラ１００は、ＰＯＳシステム１を制御するコンピュータであって、商品マスタなどの種々の情報を管理する。ストアコントローラ１００は、適宜、最新の商品マスタを各印刷用ＰＯＳレジスタ２００と会計用ＰＯＳレジスタ３００に送信する。なお、商品マスタは、各商品の商品識別情報、商品名称、販売価格などの商品情報を格納したファイルであって、適宜、更新される。
【００１８】
印刷用ＰＯＳレジスタ２００は、顧客が購入する商品の全ての買上情報をコードにしてレシートへ印刷するための装置である。印刷用ＰＯＳレジスタ２００は、種々の操作キーや表示部などを備える。印刷用ＰＯＳレジスタ２００は、店員の操作により顧客が購入する商品に付されたバーコード（商品コード）を読み取るバーコードスキャナが接続されている。印刷用ＰＯＳレジスタ２００は、顧客が購入する商品に付されたバーコードを読み取り、読み取ったコード情報に基づいて、顧客の買上情報を表すコード（会計用コード、例えば２次元コード）に変換する。印刷用ＰＯＳレジスタ２００は、変換後のコード（会計用コード）をレシート（印刷媒体）へ印刷する。
【００１９】
会計用ＰＯＳレジスタ３００は、レシートに印刷されたコード（会計用コード）を読み取って会計を行うための装置である。会計用ＰＯＳレジスタ３００は、最新の商品マスタをストアコントローラ１００から直接的に適宜取得し、会計用ＰＯＳレジスタ３００が備える後述するＲＡＭ３０３に記憶することができる。
【００２０】
図２は、印刷用ＰＯＳレジスタ２００の一例を示す機能ブロック図である。同図に示すように印刷用ＰＯＳレジスタ２００は、このレジスタの動作を制御するＣＰＵ２０１と、ＣＰＵ２０１が実行するプログラムを記憶するＲＯＭ２０２と、種々の情報を記憶するＲＡＭ２０３と、商品に付されているバーコード（商品コード）を光学的に読み取るスキャナ部（読み取り手段）２０４と、商品の名称や価格などを表示する表示部（店員用）２０５及び表示部（客用）２０５ａと、各種操作ボタンからなる操作部２０６と、ＬＡＮ１１０を介してストアコントローラ１００と通信する通信部２０７と、操作の確認が必要なとき等に音を発生させるブザー２０８と、２次元コードをレシートへ印刷するレシート印刷部（印刷手段）２０９と、顧客の買上情報を記憶するハードディスク２１０とを備えて構成されている。各構成要素は互いにバスを介して接続されている。
【００２１】
図３は、本発明の一実施形態にかかる会計用ＰＯＳレジスタ３００の斜視図である。同図に示すように会計用ＰＯＳレジスタ３００は、基台３３０上に、スキャナ部３０４及び表示部３０５と、表示ポール３４０とを設置して構成されている。基台３３０の正面側には、釣銭釣札部３１０（３１０ａ，３１０ｂ，３１０ｃ）が設置されている。
【００２２】
スキャナ部３０４は、前記レシートに印刷されたコード（会計用コード）を読み取る。表示部３０５は、買上明細の情報を表示する。釣銭釣札部３１０は、硬貨出金口３１０ａと、硬貨入金口３１０ｂと、紙幣入出金口３１０ｃとを有している。
【００２３】
表示ポール３４０は、下端を基台３３０上に固定した棒状のポール３４１と、ポール３４１の上端（先端）に取り付けられる発光部３４３と、ポール３４１の発光部３４３の近傍（真下近傍）に取り付けられる掲示部３４５とを具備して構成されている。
【００２４】
図４は表示ポール３４０の発光部３４３及び掲示部３４５の部分を拡大して示す要部拡大斜視図、図５は図４と同一部分において掲示部３４５を分解して示す要部拡大一部分解斜視図である。但し図５において、奥側の表示部材３５７とカバー部材３６１はその記載を省略している。
【００２５】
発光部３４３は、会計用ＰＯＳレジスタ３００に生じた状況に応じて選択的に発光状態（点灯・点滅状態）が変化するように構成されている。
【００２６】
一方、掲示部３４５は、表示ポール３４０の鉛直方向と平行な取付面３５１，３５３を表裏に有して表示ポール３４０（ポール３４１）に取り付けられるパネル部材３５０（第１，第２パネル部材３４７，３４９からなる）と、前記パネル部材３５０（その第１パネル部材３４７）をポール３４１に固定する取付部材３５５と、パネル部材３５０の両取付面３５１，３５３上にそれぞれ設置される識別情報表示部材（以下「表示部材」という）３５７と、表示部材３５７の表面を覆うカバー部材３６１とを有して構成されている。
【００２７】
第１，第２パネル部材３４７，３４９は、何れも略矩形状の平板を略コ字状に形成して構成されており、両者の間にポール３４１を挟んだ状態で両者の左右両側壁をそれぞれ重ね合わせて接合し、接合した両側壁をボルト３６３によって固定して上下面が解放された１つの箱型のパネル部材３５０を構成している（なお、ボルト３６３による固定は、下記するように、取付部材３５５によって第１パネル部材３４７をポール３４１に固定した後に行う）。
【００２８】
これによってパネル部材３５０の表裏には、夫々略矩形状の取付面３５１，３５３が形成される。またこれら取付面３５１，３５３の左右両側辺部分には、上下方向に向かって延びる係止部３６５が設けられている。これら係止部３６５は、第２パネル部材３４９に設けられ、それらの先端辺部分をそれぞれ取付面３５１，３５３の表面から所定距離隔てて内側に折り曲げ、これによって溝状のスリット部（挿入ガイド部）３６７を形成している。
【００２９】
さらに両取付面３５１，３５３の下辺部分にも、水平方向に向かって延びる係止部３６９が設けられている（取付面３５３側の係止部３６９は図示せず）。これら係止部３６９は、第１パネル部材３４７に設けられ、それらの先端辺部分をそれぞれ取付面３５１，３５３の表面から所定距離隔てて上側に折り曲げ、これによって溝状のスリット部（挿入ガイド部）３７１を形成している。
【００３０】
ポール３４１へのパネル部材３５０の取り付けは、取付部材３５５によって行う。図６は取付部材３５５によるポール３４１へのパネル部材３５０の取付状態を示す図であり、取付部材３５５近傍部分を上方から見た要部拡大断面図である。図５，図６に示すように、取付部材３５５は、矩形状の平板の中央に、横断面が半円弧状で上下方向に直線状に延びるポール巻着部３７７を設け、またポール巻着部３７７の左右両側に、平板状の取付部３７９を設けて構成されている。取付部３７９には、上下方向に略等間隔に複数（３つ）の取付孔３８１（図５参照）が形成されている。
【００３１】
そしてポール３４１へのパネル部材３５０（第１パネル部材３４７）の取り付けは、図６に示すように、取付部材３５５のポール巻着部３７７にポール３４１を収納した状態で、両取付部３７９を第１パネル部材３４７の裏面（取付面３５１の反対側の面）に当接し、その際第１パネル部材３４７の裏面に設けたオネジ３８３を取付孔３８１（図５参照）に挿入し、オネジ３８３にナット３８５をねじ込む。これによって第１パネル部材３４７のポール３４１への取り付けが完了する。次に第１パネル部材３４７の裏面側にポール３４１を挟んで第２パネル部材３４９を設置して両者の左右両側壁をそれぞれ重ね合わせ、ボルト３６３によって固定する。これによってポール３４１へのパネル部材３５０の取り付けが完了する。
【００３２】
次に、図５に戻って、表示部材３５７は、例えば矩形状の紙や合成樹脂シートの表面に、所望の数字などのデザインを施して構成されている。表示部材３５７の外形寸法形状は、前記パネル部材３５０の取付面３５１，３５３の外形寸法形状とほぼ同一となっている。デザインには、この会計用ＰＯＳレジスタ３００を他の会計用ＰＯＳレジスタ３００から識別する識別情報を含むものであり、この例では数字の「１」が識別情報である。このデザインの印刷は、例えば各店舗によって自由に行うことができる。
【００３３】
カバー部材３６１は、例えば矩形状の透明な合成樹脂フイルムによって構成されており、その外形寸法形状は、前記表示部材３５７の外径寸法形状と同一となっている。
【００３４】
そして表示部材３５７とカバー部材３１６を重ね合わせてパネル部材３５０の左右両スリット部３６７にその上端側から挿入し、それらの下辺をスリット部３７１に挿入し、支持させる。これによって、図４に示すように、パネル部材３５０の両取付面３５１，３５３上に、それぞれ表示部材３５７とカバー部材３６１が装着される。この掲示部３４５のように構成すれば、表示部材３５７及びカバー部材３６１の着脱が容易に行える。従って表示部材３５７及びカバー部材３６１の汚損・破損にも容易に対応できる。
【００３５】
なお、前記表示部材３５７の識別情報は、会計用ＰＯＳレジスタ３００毎に、その内容が異なっている。例えばこの会計用ＰＯＳレジスタ３００固有の識別番号が「Ｎｏ．１」なので、パネル部材３５０の識別情報の番号を「１」としている。同様に他の会計用ＰＯＳレジスタ３００についても、それぞれの装置固有の識別番号と、パネル部材３５０に表示する表示番号とを一致させるようにしている（図８参照）。
【００３６】
図７は会計用ＰＯＳレジスタ３００の機能ブロック図である。同図に示すように、会計用ＰＯＳレジスタ３００は、このレジスタの動作を制御するＣＰＵ３０１と、ＣＰＵ３０１が実行するプログラムを記憶するＲＯＭ３０２と、種々の情報（例えばレシートから読み取られた商品の買上情報等）を記憶するＲＡＭ３０３と、前記印刷用ＰＯＳレジスタ２００で印刷されたレシートの会計用コード（２次元コード）を光学的に読み取るスキャナ部（読み取り手段）３０４と、種々の情報を表示（例えばスキャナ部３０４で読み取られた買上情報に基づき、顧客が購入する商品の買上明細を表示する等）する表示部３０５と、各種操作ボタンからなる操作部３０６と、ＬＡＮ１１０を介してストアコントローラ１００と通信する通信部３０７と、会計処理のエラー等を示すブザー音を発生させるブザー３０８と、顧客の会計終了後に顧客が持ち帰る会計済レシートを印刷する印刷部３０９と、硬貨出金口３１０ａ及び硬貨入金口３１０ｂ及び紙幣入出金口３１０ｃを有する釣銭釣札部３１０と、前記表示ポール３４０の発光部３４３を有する報知部（報知手段）３２０と、発光部３４３の発光状態に応じた振動を発生する携帯端末４００に無線送信する無線通信部３１２及びアンテナ部３１３と、を備えて構成されている。各構成要素は互いにバスを介して接続されている。
【００３７】
図８はＰＯＳシステム１の店舗内での設置構成例を示す全体概略斜視図である。同図に示すように、ＰＯＳシステム１は、並列に配置した複数台（図では３台）の印刷用ＰＯＳレジスタ２００と、前記印刷用ＰＯＳレジスタ２００の後側に並列に配置した複数台（図では４台）の会計用ＰＯＳレジスタ３００とを具備して構成されている。なお図８では、ＰＯＳシステム１の一部を構成するストアコントローラ１００と携帯端末４００の記載を省略している。
【００３８】
次にＰＯＳシステム１の動作について説明する。まず印刷用ＰＯＳレジスタ２００において、店員が顧客の購入する商品のバーコードを、スキャナ部２０４によって読み取る。スキャナ部２０４が顧客の購入する全ての商品を読み取ると、読み取った買上情報に基づいて、会計用コードをレシート印刷部２０９にてレシートに印刷する。
【００３９】
次に顧客は、そのレシートを持って、何れかの会計用ＰＯＳレジスタ３００の前まで移動する。そして顧客は、会計用ＰＯＳレジスタ３００のスキャナ部３０４において、レシートに印刷された買上情報を読み取らせる。この会計操作が開始されると同時に、発光部３４３を点灯する。会計用ＰＯＳレジスタ３００は、読み取った買上情報に基づいて、買上総額を含む買上明細を表示部３０５に表示する。次に、会計用ＰＯＳレジスタ３００は、顧客により投入された紙幣又は硬貨を計数し、投入された金額と買上総額とを比較し、投入された金額が買上総額に達するのを待つ。投入された金額が買上総額と同一又はそれ以上に投入された場合は、投入された金額から買上総額を減算し、お釣りを算出し、釣銭釣札部３１０から排出する。一連の会計処理が終了すると、発光部３４３を消灯する。
【００４０】
一方、例えば会計を始めてから２０秒を経過しても会計処理が終了していない場合は、発光部３４３を３秒間隔で点滅させる。次に、例えば４０秒を超えても会計処理が終了していない場合は、前記発光部３４３の点滅間隔を変更（例えば２秒間隔に）する。以下、所定時間（例えば２０秒）が経過する毎に点滅間隔をさらに短くしていく。そして会計処理が完了すると、表示部３４３を消灯する。
【００４１】
一方、前記発光部３４３を点滅する際は、同時に、会計用ＰＯＳレジスタ３００は、その無線通信部３１２によって、携帯端末４００に発光部３４３が点滅したことを示す情報を送信する。携帯端末４００は前記会計用ＰＯＳレジスタ３００の状態を示す情報を受信し、振動することで、この携帯端末４００を携帯している店員に発光部３４３が点滅していることを報知する。同時に携帯端末４００の表示部には、発光部３４３が点滅している会計用ＰＯＳレジスタ３００固有の識別番号を表示する。
【００４２】
これによって、店員は、発光部３４３が点滅している会計用ＰＯＳレジスタ３００の識別番号を表示した掲示部３４５と、発光している発光部３４３とを同時に探し、発光している発光部３４３と掲示部３４５の識別番号とが一致した会計用ＰＯＳレジスタ３００を見つけ出し、その会計用ＰＯＳレジスタ３００に急行する。
【００４３】
掲示部３４５は発光部３４３の近傍に設置されているので、例えば複数台ある会計用ＰＯＳレジスタ３００の中から目的の会計用ＰＯＳレジスタ３００を探し出す場合、発光（この場合は点滅）している発光部３４３と、その近傍にある掲示部３４５の識別番号の両者を同時に見ることで、目的の会計用ＰＯＳレジスタ３００の発見が行い易くなる。これによってトラブルへの対応を、装置を間違えることなく迅速に行うことができる。
【００４４】
また、本発明の実施の形態において、掲示部３４５を発光部３４３の近傍に設置させたものを例示しているがこれに限らず、例えば、発光部３４３を掲示部３４５で覆うように設置させ、掲示部３４５の識別番号を発光部３４３の光源によって発光（例えば、点灯、点滅、点滅時間間隔、光量の増減、色彩等の状態を変化）するようにしてもよい（例えば、行灯のような形態）。
【００４５】
これによって会計操作に時間を要している顧客に対して店員が、適切なタイミングでサポートすることができる。さらに店員が適切なタイミングで顧客のサポートを行うことができるので、会計処理にかかる平均時間を短縮することができ、その結果、会計を待つ顧客の行列をできにくくすることができる。
【００４６】
この実施形態においては、発光部３４３を、会計用ＰＯＳレジスタ３００に生じた状況に応じて選択的に発光状態が変化するように構成しているので、この発光部３４３の発光状態の変化と、前記掲示部３４５での識別番号の掲示とによって、より迅速・確実に、対象の会計用ＰＯＳレジスタ３００を発見することが可能となる。
【００４７】
なおこの例では、携帯端末４００に、サポートが必要な会計用ＰＯＳレジスタ３００固有の識別番号を表示するようにしているが、例えばストアコントローラ１００に前記識別番号を表示し、ストアコントローラ１００付近にいる店員が、対象となる会計用ＰＯＳレジスタ３００に急行するようにしても良い。
【００４８】
一方、例えば店舗の大幅な配置替えを行うような場合は、会計用ＰＯＳレジスタ３００と共にその掲示部３４５も一体に移動するので、装置固有の識別番号と、掲示部３４５に掲示した識別番号とを常に一致させることができる。また前記配置替え等の際に、会計用ＰＯＳレジスタ３００が記憶する装置固有の識別番号を、掲示部３４５の識別番号と一致させるように、別途オペレータが変更操作を行う必要もないので、変更操作の手間と時間が省けるばかりか、変更ミスも生じなくなる。また配置替えによって、会計用ＰＯＳレジスタ３００が設置されていない場所に番号プレートだけが残るといったような問題も解消できる。
【００４９】
また１日の業務が終了した後、会計用ＰＯＳレジスタ３００内に残っていた残金を回収するとともに、その会計用ＰＯＳレジスタ３００による１日の売上金額をレシートに印刷して、別の部屋等で両者を確認し、もし両者の間に違算があったような場合は、違算が生じた会計用ＰＯＳレジスタ３００まで行って釣銭の回収漏れがあるか否かなどをチェックする。このときもしレシート上に印刷された会計用ＰＯＳレジスタ３００固有の識別番号と、掲示部３４５の識別番号とが異なっていると、チェックしようとする会計用ＰＯＳレジスタ３００にスムーズ且つ迅速にはたどり着けなくなるが、上記会計用ＰＯＳレジスタ３００ではそのような問題は生じず、スムーズ且つ迅速な対応が可能になる。
【００５０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造であっても、本願発明の作用・効果を奏する以上、本願発明の技術的思想の範囲内である。例えば、上記説明では、商品の登録を店員が行い、会計を顧客が行うＰＯＳシステム１の会計用ＰＯＳレジスタ３００に本発明を適用した例を示したが、印刷用ＰＯＳレジスタ２００に表示ポールを取り付けて本発明を適用しても良い。また本発明は、登録と会計の全てを顧客が１台の装置で行うＰＯＳシステムや、店員が登録と会計の全てを行うＰＯＳシステムに本発明を適用しても良い。即ち本発明は、商品の販売データを処理する商品販売データ処理装置であれば、どのような装置にも適用できる。
【００５１】
上記掲示部３４５では、取付面３５１，３５３の左右両辺部分にスリット部３６７を設けたが、その代りに取付面３５１，３５３の上下辺部分にスリット部を設けても良い。またスリット部は、取付面３５１，３５３の角部に設けても良い等、さらに各種変更が可能である。またスリット部を設ける以外の各種方法（接着、ネジ止め、マジックテープ（登録商標）等）によって、取付面３５１，３５３に表示部材３５７を取り付けても良い。
【００５２】
また上記掲示部３４５では、パネル部材３５０に表示部材３５７とカバー部材３６１を取り付けたが、カバー部材３６１は省略して表示部材３５７のみを取り付けても良い。また上記掲示部３４５では、その表裏両面に表示部材３５７を取り付けたが、一方の面のみに表示部材３５７を取り付けても良い。また上記表示部材３５７に表示する識別情報を識別番号（数字）としたが、かな文字、アルファベット、その他の模様等、各種の識別情報であっても良い。
【００５３】
以上の説明に関し、さらに以下の項を開示する。
（付記１）
請求項１に記載の商品販売データ処理装置であって、前記発光部は前記表示ポールの先端に設けられていることを特徴とする商品販売データ処理装置。この場合、掲示部は、発光部の真下近傍に設置するのが好ましい。これによって発光部と掲示部の両者が高い位置に設置され、確認し易くなる。
（付記２）
請求項１に記載の商品販売データ処理装置であって、前記商品販売データ処理装置は、客が買上げる商品を登録する登録装置と、前記登録された客が買上げる商品の会計を行う会計装置とから構成され、前記発光部および掲示部を備えた表示ポールは、前記登録装置および／または会計装置の何れかに組付けられていることを特徴とする商品販売データ処理装置。ここで登録装置は上記例では印刷用ＰＯＳレジスタ２００が相当し、会計装置は会計用ＰＯＳレジスタ３００が相当する。これにより、客は、どの登録装置で買上げ商品の登録を行い、どの会計装置で会計操作を行えば良いかを容易に確認することができるのでスムーズな会計を行うことができる。
（付記３）
請求項２に記載の商品販売データ処理装置であって、前記パネル部材は、表示ポールに巻着される取付部材に連結されていることを特徴とする商品販売データ処理装置。
（付記４）
請求項２に記載の商品販売データ処理装置であって、前記スリット部は、表示部周囲の左右の辺又は上下の辺に設けられ、識別情報表示部材はスリット部に沿って挿入されることを特徴とする商品販売データ処理装置。
（付記５）
請求項２に記載の商品販売データ処理装置であって、前記識別情報表示部材は、その表面が透明部材で覆われていることを特徴とする商品販売データ処理装置。
【符号の説明】
【００５４】
１  ＰＯＳシステム                    １００  ストアコントローラ
１１０  ＬＡＮ
２００  印刷用ＰＯＳレジスタ（商品販売データ処理装置）
２０１  ＣＰＵ                        ２０２  ＲＯＭ
２０３  ＲＡＭ                        ２０４  スキャナ部
２０５  表示部（店員用）              ２０５ａ  表示部（客用）
２０６  操作部                        ２０７  通信部
２０８  ブザー                        ２０９  レシート印刷部
２１０  ハードディスク
３００  会計用ＰＯＳレジスタ（商品販売データ処理装置）
３０１  ＣＰＵ                        ３０２  ＲＯＭ
３０３  ＲＡＭ                        ３０４  スキャナ部
３０５  表示部                        ３０６  操作部
３０７  通信部                        ３０８  ブザー
３０９  印刷部                        ３１０  釣銭釣札部
３１０ａ  硬貨出金口                  ３１０ｂ  硬貨入金口
３１０ｃ  紙幣入出金口                ３１２  無線通信部
３１３  アンテナ部                    ３２０  報知部（報知手段）
３３０  基台                          ３４０  表示ポール
３４１  ポール                        ３４３  発光部
３４５  掲示部                        ３４７  第１パネル部材
３４９  第２パネル部材                ３５０  パネル部材
３５１，３５３  取付面                ３５５  取付部材
３５７  表示部材（識別情報表示部材）  ３６１  カバー部材
３６３  ボルト                        ３６５，３６９  係止部
３６７，３７１  スリット部            ３７７  ポール巻着部
３７９  取付部                        ３８１  取付孔
３８３  オネジ                        ３８５  ナット
４００  携帯端末
【図１】
2015007831.tif 000003
【図２】
2015007831.tif 000004
【図３】
2015007831.tif 000005
【図４】
2015007831.tif 000006
【図５】
2015007831.tif 000007
【図６】
2015007831.tif 000008
【図７】
2015007831.tif 000009
【図８】
2015007831.tif 000010